(57)【要約】【課題】  本発明は、様々なものに適用できるとともに、導光パネルの交換やメンテナンスが容易な導光パネルの取付構造を提供することにある。【解決手段】  パネルの外側端部から光を入れてパネル面の全面を発光させる導光パネルの取付構造であって、支持材１，２，９と導光パネル７を備えており、支持材１，２，９は、導光パネル７の外周縁部に取り付けるとともに内周部にパネル呑込み溝３ａ，３ｂを有しており、パネル呑込み溝３ａ，３ｂには受け部材４ａ，４ｂが設けてあり、受け部材４ａ，４ｂは、導光パネル７の外周縁部を受溝１６に保持するものであり、受溝１６は、溝内周側部が光を反射するとともに溝奥には光源１１が設けてあり、受け部材４ａ，４ｂの受溝１６の両側部１７，１７は弾性を有しており、受溝１６に受け入れた導光パネル７を着脱自在に保持していることを特徴とする。【選択図】      図１
2017117552.tif 000002
【特許請求の範囲】
【請求項１】
パネルの外側端部から光を入れてパネル面の全面を発光させる導光パネルの取付構造であって、支持材と導光パネルを備えており、支持材は、導光パネルの外周縁部に取り付けるとともに内周部にパネル呑込み溝を有しており、パネル呑込み溝には受け部材が設けてあり、受け部材は、導光パネルの外周縁部を受溝に保持するものであり、受溝は、溝内周側部が光を反射するとともに溝奥には光源が設けてあり、受け部材の受溝の両側部は弾性を有し、受溝に受け入れた導光パネルを着脱自在に保持していることを特徴とする導光パネルの取付構造。
【請求項２】
受け部材は、受溝の溝奥に光源を収納する発光空間部を有しており、発光空間部と導光パネルを受け入れる空間との間を区切る位置に光拡散部が設けてあることを特徴とする請求項１記載の導光パネルの取付構造。
【請求項３】
支持材と受け部材の間には、受け部材をパネル呑込み溝の溝開口側に付勢する付勢部が設けてあることを特徴とする請求項１又は２記載の導光パネルの取付構造。
【発明の詳細な説明】
【技術分野】
【０００１】
本発明は、躯体や建材等の支持体への導光パネルの取付構造に関するものである。
【背景技術】
【０００２】
導光パネルの外周縁部にＬＥＤ等の光源を設置し、導光パネルの側面に光を透過させることでガラス面の全面を発光させる導光パネルがあり、このような導光パネルを利用したものは、建材や看板、美術品等、多岐に渡っている。
【先行技術文献】
【特許文献】
【０００３】
【特許文献１】実開昭６４−２９７０９号公報
【発明の開示】
【発明が解決しようとする課題】
【０００４】
上記のような導光パネルを建材や看板、美術品など様々な対象物に適用するときに、導光パネルの外周縁部を支持材にしっかりと固定して外れない構造としている。このような構造では導光パネルが破損したときに、支持材を解体して光源を含めたユニットすべてを交換しなければならず、このことから、交換や修繕にかかるコストが増大する問題点があった。
【０００５】
本発明は、上記課題を鑑みてなされたものであり、多岐に適用できるとともに、導光パネルの交換やメンテナンスが容易な導光パネルの取付構造を提供することにある。
【課題を解決するための手段】
【０００６】
本発明の請求項１記載の発明は、導光パネルを使用する導光パネルの取付構造であって、支持材と導光パネルを備えており、支持材は、導光パネルの外周縁部に取り付けるとともに内周部にパネル呑込み溝を有しており、パネル呑込み溝には受け部材が設けてあり、受け部材は、導光パネルの外周縁部を受溝に保持するものであり、受溝は、溝内周側部が光を反射するとともに溝奥には光源が設けてあり、受け部材の受溝の両側部は弾性を有し、受溝に受け入れた導光パネルを着脱自在に保持していることを特徴とする。
【０００７】
本発明の請求項２記載の発明は、受け部材は、受溝の溝奥に光源を収納する発光空間部を有しており、発光空間部と導光パネルを受け入れる空間との間を区切る位置に光拡散部が設けてあることを特徴とする。
【０００８】
本発明の請求項３記載の発明は、支持材と受け部材の間には、受け部材をパネル呑込み溝の溝開口側に付勢する付勢部が設けてあることを特徴とする。
【発明の効果】
【０００９】
本発明のうち請求項１記載の発明によれば、躯体の支持材のパネル呑込み溝内に導光パネルの受け部材を取り付けてあり、その受け部材の内周部に光源と光拡散板を有している。これにより、躯体側に支持材と光源を設置し、後から導光パネルを取り付け、または取り外すことができるので、導光パネルの破損やメンテナンスが容易に行える。
【００１０】
本発明のうち請求項２記載の発明によれば、受け部材の受溝内に光源と導光パネルを受け入れる空間を仕切る光拡散部を有することにより、光拡散部で光源の光を効率的に拡散できる。さらに、受け部材の受溝に導光パネルを差し入れたときに、導光パネルの外周縁部が光源に到達する前に光拡散部が遮るので、施工時や施工後の導光パネルからの衝撃に対して光源を保護できる。
【００１１】
本発明のうち請求項３記載の発明によれば、支持材のパネル呑込み溝の中に受け部材を付勢する付勢部を設けてある。これにより、支持材のパネル呑込み溝に導光パネルを差し入れたときに、受け部材の内周部に配置してある光源が導光パネルの差し込み側の外周縁部のパネル小口に当接し、さらに、付勢部の付勢によって光源が導光パネルの端縁部に押し返されて、光源と光拡散部が常に当接し続けることになる。このことから、パネル呑込み溝への導光パネルの差し込みの具合に関わらず、光源からの光が導光パネルの外周縁部に効率的に発光するので、発光パネルの美観が向上する。
【図面の簡単な説明】
【００１２】
【図１】本実施による導光パネルの取付構造を適用したバルコニー手摺の縦断面図である。
【図２】（ａ）は、図１中Ａを拡大した縦断面図であり、（ｂ）は、図１中Ｂを拡大した縦断面図である。
【図３】本実施による導光パネルの取付構造を適用したバルコニー手摺の正面図である。
【図４】（ａ）〜（ｃ）は、本実施による導光パネルをバルコニー手摺に取り付ける施工手順を示すものである。
【図５】（ａ）（ｂ）は、本実施による上側の受け部材に導光パネルを取り付けるときの状態を示す要部を拡大した縦断面図である。
【図６】本発明の他の実施形態を示す正面図である。
【発明を実施するための形態】
【００１３】
以下、本発明の導光パネルの取付構造をバルコニー手摺に適用した実施形態を各図面に基づいて説明する。
ここで、本実施によるバルコニー手摺について説明する。本実施のバルコニー手摺は、図３のように、躯体Ｐ上部の躯体外側の端部付近に設置するものであり、躯体Ｐの上に所定間隔で複数箇所に起立させる支柱８と、笠木（支持材）１と、下枠（支持材）２と、竪枠（支持材）９とから構成するものある。このうち笠木１は、幅広で且つ縦断面が幅広な矩形状をなす中空押出形材で形成してあり、図２（ａ）のように、下端部には下向きに開口した上側パネル呑込み溝（パネル呑込み溝）３ａを有しており、本実施による導光パネルの取付構造の受け部材４ａが取り付けられて、上記した導光パネル７を保持する。また、上側パネル呑込み溝３ａは、導光パネル７の上端縁部が入り込むようにほぼ矩形状をなしている。また、上側パネル呑込み溝３ａの溝開口の外周部には気密材１０が配置してあり、導光パネル７が笠木１の下方から差し込まれたときに、導光パネル７との隙間に気密材１０が配置される。また、バルコニー手摺の下枠２は、図２（ｂ）のように、上向きに開口した下側パネル呑込み溝（パネル呑込み溝）３ｂを有しており、本実施による導光パネルの取付構造の受け部材４ｂが取り付けられる。さらに、下側パネル呑込み溝３ｂには、笠木１の上側パネル呑込み溝３ａに差し込まれた導光パネル７の下端縁部を落とし込んで保持する。
【００１４】
本実施による導光パネルの取付構造は、図１と図２（ａ）（ｂ）のように、笠木１と、下枠２と、支柱８と、竪枠９と、受け部材４ａ，４ｂと、光源１１と、光拡散部６と、導光パネル７と、付勢部１３とから構成されている。上記の支持材１，２は、本実施のものではバルコニー手摺の笠木１と下枠２と竪枠９が担うものである。受け部材４ａ，４ｂは、図２（ａ）（ｂ）を参照すれば、笠木１や下枠２の長手方向の長さとほぼ同じ寸法で形成してあり、断面ほぼコ字状をなし、光の反射性が高い樹脂で成形されているとともに、両側部１７，１７が弾性を有するものであり、導光パネル７の受け入れ側の側部１７は、導光パネル７の外周側部を受け入れやすいように彎曲している。また、受け部材４ａ，４ｂの溝奥には、光源１１を配置するための発光空間部５が設けてある。さらに、本実施で使用する受け部材４ａ，４ｂは、ポリカーポネート樹脂を素材としており、上記の素材で成形された受け部材４ａ，４ｂは、可視光域で高い光反射性を示すとともに、遮光性と耐光性を有している。また、光源１１からの熱に対する耐熱性と難燃性も兼ね備えている。さらに、光源１１は、本実施ではＬＥＤを使用しており、具体的に、厚みが薄く細長い基板の長手方向に赤色、白色、青色等に発光する複数のＬＥＤを一列に配置したものを、上側の受け部材４ａの発光空間部５に配置してある。光拡散部６は、上側の受け部材４ａの両側部１７，１７の内周側に発光空間部５と導光パネル７を受け入れる空間を仕切るように一体成形してあり、光源１１のほぼ全面を覆って差し込まれた導光パネル７の上側端面と対面する。導光パネル７は、中間膜シート７ａの両側を板ガラス７ｂ，７ｂで挟む合わせガラス構造をなしている。付勢部１３は、本実施のものでは「く」の字型のパンタグラフ状をなしており、上側の受け部材４ａと一体成形してある。さらに、付勢部１３は、笠木１及び下枠２の各受け部材４ａ，４ｂの間に配置してあり、受け部材４ａ，４ｂをパネル呑込み溝３ａ，３ｂの中で溝奥から溝開口に向けて付勢している。また、光源１１を発光させる電源については、本実施のものではバルコニー手摺の支柱８内部を通って笠木１内部まで接続するケーブルコネクタ１４が設けてあり、このケーブルコネクタ１４を光源１１の接続端子に接続することで発光する。
【００１５】
次に、本実施によるバルコニー手摺への施工手順について、各図面に基づいて以下に説明する。
第一の手順として、図４（ａ）のように、導光パネル７の上端縁部を笠木１の上側のパネル呑込み溝３ａに対してバルコニー手摺の室内側の下方から斜めに上方に向けて差し入れる。
第二の手順として図４（ｂ）のように、笠木１の上側パネル呑込み溝３ａに取り付けてある受け部材４ａの溝開口に導光パネル７を下方から斜め横方向に差し入れるとともに、受け部材４ａの溝奥まで差し込んだときに、導光パネル７をバルコニー手摺の室外側に回動する。
第三の手順として、図４（ｃ）のように、上端縁部を上側の受け部材４ａの溝奥まで呑み込んで導光パネル７がほぼ垂直になったら、導光パネル７の下端縁部を下枠２のパネル呑込み溝３ｂに取り付けてある受け部材４ｂに落とし込む。これにより、付勢部１３の付勢力が働いて上下の各受け部材４ａ，４ｂが導光パネル７の上側端面と下側端面にそれぞれ当接し、導光パネル７が笠木１と下枠２に取り付けられる。
以上の手順を経ることにより本実施によるバルコニー手摺への導光パネル７の取り付けが完了する。
【００１６】
上記の手順を経ることにより、笠木１のパネル呑込み溝３ａと下枠２のパネル呑込み溝３ｂにそれぞれ取り付けてある受け部材４ａ，４ｂにより、導光パネル７の上端縁部と下端縁部が保持されたバルコニー手摺が形成される。このときに、笠木１と下枠２のそれぞれのパネル呑込み溝３ａ，３ｂに設けてある付勢部１３によって、各受け部材４ａ，４ｂが溝開口側に付勢されて、各受け部材４ａ，４ｂを導光パネル７の上端縁部と下側縁部に対し、光拡散部６を挟んで当接する。これにより、光拡散部６によって、光源１１が間隔をあけて配置されることによる発光斑を解消することで、導光パネル７のパネル面のほぼ全面で均一に発光する。さらに、導光パネル７と光源１１との距離が常に近い位置関係に保たれるとともに、導光パネル７の上端縁部の外周部を上側の受け部材４ａで囲んでいることから、受け部材４ａの内周部で光が反射するので、光源１１で発光した光線が導光パネル７の上側端面付近に集約する。そして、導光パネル７の中間膜シート７ａを通り、導光パネル７のパネル面のほぼ全面がぼんやりと発光する。また、受け部材４ａ，４ｂの両端部１７，１７が弾性を有し、さらに、受け部材４ａ，４ｂが付勢部１３で付勢されていることにより、図５（ａ）（ｂ）のように、笠木１と下枠２を支柱８に固定して躯体Ｐ上に組んだ後、導光パネル７を付勢部１３の付勢力に逆らって持ち上げる、または、押し下げることにより、受け部材４ａ，４ｂでの導光パネル７の呑込みが浅くなる。このことから、受け部材４ａ，４ｂの両側部１７，１７の弾性も相俟って、導光パネル７取り付けまたは取り外しができることから、施工後の様々なメンテナンスが容易となる。
【００１７】
本発明では、導光パネル７の支持材である笠木１や下枠２、竪枠９、導光パネル７などの形状や大きさについて上記の各実施形態のものに限定されない。導光パネル７は、ガラスパネルや樹脂パネルなどが使用でき、透光性を有するものであればその素材を限定するものではない。また、支持材１，２，９は、導光パネル７の外周縁部のうち、上記実施形態のように四周を囲むものでもよいし、上下側の二方のみでもよいし、あるいは三方を支持してもよく、光源１１も同様に導光パネル７への配置は自在である。そして、図６のように、導光パネル７のパネル面に図柄等のシール１５を貼って凹凸部１５を形成することにより、シール１５を貼った箇所での発光を強調させることもできる。また、光源１１も上記したＬＥＤの他、蛍光管等でもよく、発光手段を限定するものではない。さらに、上記実施のように、受け部材４ａ，４ｂの側部１７を彎曲させて弾性を付与するものの他、パネル呑込み溝３ａ，３ｂへの差し込み角度を斜めにして導光パネル７の外周縁部を受け入れて保持できるものであればよい。また、受け部材４ａ，４ｂは、上記の実施形態では上側の受け部材４ａに発光空間部５を有するものを使用しているが、光源１１を導光パネル７の下側に設けるときには、上側の受け部材４ａと同じ発光空間部５と光拡散部６を有するものを使用する。さらに、付勢部１３は、上記実施形態のような一体成形されたものの他、板ばねやコイルスプリングであってもよい。また、光拡散部６も受け部材４ａ，４ｂとは別部材にしてもよい。さらに、本発明による導光パネル７の取付構造は、上記の実施形態ではバルコニー手摺に適用したものを説明しているが、通路やスロープ、階段に沿って設置される手摺のほか、室内外に設置した窓や間仕切り、あるいは欄間など、その適用範囲をバルコニー手摺に限定するものではない。
【符号の説明】
【００１８】
１  笠木（支持材）
２  下枠（支持材）
３ａ  上側パネル呑込み溝（パネル呑込み溝）
３ｂ  下側パネル呑込み溝（パネル呑込み溝）
４ａ，４ｂ  受け部材
５  発光空間部
６  光拡散部
７  導光パネル
７ａ  中間膜シート
７ｂ  ガラス
８  支柱
９  竪枠（支持材）
１０  気密材
１１  光源
１３  付勢部
１４  ケーブルコネクタ
１５  シール（凹凸部）
１６  受溝
１７  両側部
Ｐ  躯体
【図１】
2017117552.tif 000003
【図２】
2017117552.tif 000004
【図３】
2017117552.tif 000005
【図４】
2017117552.tif 000006
【図５】
2017117552.tif 000007
【図６】
2017117552.tif 000008
【手続補正書】
【提出日】平成28年6月24日(2016.6.24)
【手続補正１】
【補正対象書類名】特許請求の範囲
【補正対象項目名】全文
【補正方法】変更
【補正の内容】
【特許請求の範囲】
【請求項１】
パネルの外側端部から光を入れてパネル面の全面を発光させる導光パネルの取付構造であって、支持材と導光パネルを備えており、
前記支持材は、前記導光パネルの外周縁部に取り付けるとともに内周部にパネル呑込み溝を有しており、前記パネル呑込み溝には受け部材が設けてあり、
前記受け部材は、前記導光パネルの外周縁部を受溝に保持するものであり、
前記受溝は、溝内周側部が光を反射するとともに溝奥には光源が設けてあり、前記受け部材の受溝の両側部は弾性を有し且つ導光パネルの受け入れ側の側部は彎曲しており、
前記受溝に受け入れた前記導光パネルを着脱自在に保持していることを特徴とする導光パネルの取付構造。
【請求項２】
前記受け部材は、前記受溝の溝奥に前記光源を収納する発光空間部を有しており、前記発光空間部と前記導光パネルを受け入れる空間との間を区切る位置に光拡散部が設けてあることを特徴とする請求項１記載の導光パネルの取付構造。
【請求項３】
前記支持材と前記受け部材の間には、前記受け部材を前記パネル呑込み溝の溝開口側に付勢する付勢部が設けてあることを特徴とする請求項１記載の導光パネルの取付構造。
【手続補正２】
【補正対象書類名】明細書
【補正対象項目名】０００６
【補正方法】変更
【補正の内容】
【０００６】
本発明の請求項１記載の発明は、パネルの外側端部から光を入れてパネル面の全面を発光させる導光パネルの取付構造であって、支持材と導光パネルを備えており、前記支持材は、前記導光パネルの外周縁部に取り付けるとともに内周部にパネル呑込み溝を有しており、前記パネル呑込み溝には受け部材が設けてあり、前記受け部材は、前記導光パネルの外周縁部を受溝に保持するものであり、前記受溝は、溝内周側部が光を反射するとともに溝奥には光源が設けてあり、前記受け部材の受溝の両側部は弾性を有し且つ導光パネルの受け入れ側の側部は彎曲しており、前記受溝に受け入れた前記導光パネルを着脱自在に保持していることを特徴とする。
【手続補正３】
【補正対象書類名】明細書
【補正対象項目名】０００７
【補正方法】変更
【補正の内容】
【０００７】
本発明の請求項２記載の発明は、前記受け部材は、前記受溝の溝奥に前記光源を収納する発光空間部を有しており、前記発光空間部と前記導光パネルを受け入れる空間との間を区切る位置に光拡散部が設けてあることを特徴とする。
【手続補正４】
【補正対象書類名】明細書
【補正対象項目名】０００８
【補正方法】変更
【補正の内容】
【０００８】
本発明の請求項３記載の発明は、支持材と受け部材の間には、前記受け部材を前記パネル呑込み溝の溝開口側に付勢する付勢部が設けてあることを特徴とする。